【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
圧縮機を有する室外機と、前記室外機に並列に接続されている複数台の室内機とを備えるマルチ型空気調和装置の制御装置であって、
所定期間通常モードによって前記室内機に設定された設定温度まで前記圧縮機を制御する第１立ち上がりモードと、前記通常モードに対して前記圧縮機の制御量に上限が与えられる省エネモードによって前記室内機に設定された設定温度まで前記圧縮機を制御する第２立ち上がりモードとを有し、前記第１立ち上がりモード及び前記第２立ち上がりモードのうちいずれか一方をユーザにより選択させる選択手段と、
前記圧縮機が起動された後、
前記第１立ち上がりモード及び前記第２立ち上がりモードのうち前記選択手段によって選択されたいずれか一方によって前記圧縮機を制御する制御手段と
を具備するマルチ型空気調和装置の制御装置。
【請求項２】
圧縮機を有する室外機と、前記室外機に並列に接続されている複数台の室内機とを備えるマルチ型空気調和装置の制御装置であって、
所定期間通常モードによって前記室内機に設定された設定温度まで前記圧縮機を制御する第１立ち上がりモードと、前記通常モードに対して前記圧縮機の制御量に上限が与えられる省エネモードによって前記室内機に設定された設定温度まで前記圧縮機を制御する第２立ち上がりモードとを有し、前記第１立ち上がりモード及び前記第２立ち上がりモードのいずれか一方をユーザにより選択させる選択手段と、
前記圧縮機が起動され、前記室内機がサーモオン状態となった後、
前記第１立ち上がりモード及び前記第２立ち上がりモードのうち前記選択手段によって選択されたいずれか一方によって前記圧縮機を制御する制御手段と
を具備するマルチ型空気調和装置の制御装置。
【請求項３】
前記所定期間の設定は、可変とされている請求項１または請求項２に記載のマルチ型空気調和装置の制御装置。
【請求項４】
請求項１から請求項３のいずれかに記載のマルチ型空気調和装置の制御装置と、
圧縮機を有する室外機と、前記室外機に並列に接続されている複数台の室内機とを備えるマルチ型空気調和装置と
を具備するマルチ型空気調和システム。
【請求項５】
圧縮機を有する室外機と、前記室外機に並列に接続されている複数台の室内機とを備えるマルチ型空気調和装置の制御方法であって、
所定期間通常モードによって前記室内機に設定された設定温度まで前記圧縮機を制御する第１立ち上がりモードと、前記通常モードに対して前記圧縮機の制御量に上限が与えられる省エネモードによって前記室内機に設定された設定温度まで前記圧縮機を制御する第２立ち上がりモードとのうちいずれか一方をユーザにより選択させる選択過程と、
前記圧縮機が起動された後、
前記第１立ち上がりモード及び前記第２立ち上がりモードのうち前記選択過程によって選択されたいずれか一方によって前記圧縮機を制御する制御過程と
を有するマルチ型空気調和装置の制御方法。
【請求項６】
圧縮機を有する室外機と、前記室外機に並列に接続されている複数台の室内機とを備えるマルチ型空気調和装置の制御プログラムであって、
所定期間通常モードによって前記室内機に設定された設定温度まで前記圧縮機を制御する第１立ち上がりモードと、前記通常モードに対して前記圧縮機の制御量に上限が与えられる省エネモードによって前記室内機に設定された設定温度まで前記圧縮機を制御する第２立ち上がりモードとを有し、前記第１立ち上がりモード及び前記第２立ち上がりモードのうちいずれか一方をユーザにより選択させる選択処理と、
前記圧縮機が起動された後、
前記第１立ち上がりモード及び前記第２立ち上がりモードのうち前記選択処理によって選択されたいずれか一方によって前記圧縮機を制御する制御処理と
をコンピュータに実行させるためのマルチ型空気調和装置の制御プログラム。
【請求項７】
圧縮機を有する室外機と、前記室外機に並列に接続されている複数台の室内機とを備えるマルチ型空気調和装置の制御方法であって、
所定期間通常モードによって前記室内機に設定された設定温度まで前記圧縮機を制御する第１立ち上がりモードと、前記通常モードに対して前記圧縮機の制御量に上限が与えられる省エネモードによって前記室内機に設定された設定温度まで前記圧縮機を制御する第２立ち上がりモードとのいずれか一方をユーザにより選択させる選択過程と、
前記圧縮機が起動され、前記室内機がサーモオン状態となった後、
前記第１立ち上がりモード及び前記第２立ち上がりモードのうち前記選択過程によって選択されたいずれか一方によって前記圧縮機を制御する制御過程と
を有するマルチ型空気調和装置の制御方法。
【請求項８】
圧縮機を有する室外機と、前記室外機に並列に接続されている複数台の室内機とを備えるマルチ型空気調和装置の制御プログラムであって、
所定期間通常モードによって前記室内機に設定された設定温度まで前記圧縮機を制御する第１立ち上がりモードと、前記通常モードに対して前記圧縮機の制御量に上限が与えられる省エネモードによって前記室内機に設定された設定温度まで前記圧縮機を制御する第２立ち上がりモードとを有し、前記第１立ち上がりモード及び前記第２立ち上がりモードのいずれか一方をユーザにより選択させる選択処理と、
前記圧縮機が起動され、前記室内機がサーモオン状態となった後、
前記第１立ち上がりモード及び前記第２立ち上がりモードのうち前記選択処理によって選択されたいずれか一方によって前記圧縮機を制御する制御処理と
をコンピュータに実行させるためのマルチ型空気調和装置の制御プログラム。
【手続補正２】
【補正対象書類名】明細書
【補正対象項目名】０００６
【補正方法】変更
【補正の内容】
【０００６】
上記課題を解決するために、本発明は以下の手段を採用する。
本発明は、圧縮機を有する室外機と、前記室外機に並列に接続されている複数台の室内機とを備えるマルチ型空気調和装置の制御装置であって、所定期間通常モードによって前記室内機に設定された設定温度まで前記圧縮機を制御する第１立ち上がりモードと、前記通常モードに対して前記圧縮機の制御量に上限が与えられる省エネモードによって前記室内機に設定された設定温度まで前記圧縮機を制御する第２立ち上がりモードとを有し、前記第１立ち上がりモード及び前記第２立ち上がりモードのうちいずれか一方をユーザにより選択させる選択手段と、前記圧縮機が起動された後、前記第１立ち上がりモード及び前記第２立ち上がりモードのうち前記選択手段によって選択されたいずれか一方によって前記圧縮機を制御する制御手段とを具備するマルチ型空気調和装置の制御装置を提供する。
【手続補正３】
【補正対象書類名】明細書
【補正対象項目名】０００８
【補正方法】変更
【補正の内容】
【０００８】
本発明は、圧縮機を有する室外機と、前記室外機に並列に接続されている複数台の室内機とを備えるマルチ型空気調和装置の制御装置であって、所定期間通常モードによって前記室内機に設定された設定温度まで前記圧縮機を制御する第１立ち上がりモードと、前記通常モードに対して前記圧縮機の制御量に上限が与えられる省エネモードによって前記室内機に設定された設定温度まで前記圧縮機を制御する第２立ち上がりモードとを有し、前記第１立ち上がりモード及び前記第２立ち上がりモードのいずれか一方をユーザにより選択させる選択手段と、前記圧縮機が起動され、前記室内機がサーモオン状態となった後、前記第１立ち上がりモード及び前記第２立ち上がりモードのうち前記選択手段によって選択されたいずれか一方によって前記圧縮機を制御する制御手段とを具備するマルチ型空気調和装置の制御装置を提供する。
【手続補正４】
【補正対象書類名】明細書
【補正対象項目名】００１２
【補正方法】変更
【補正の内容】
【００１２】
本発明は、圧縮機を有する室外機と、前記室外機に並列に接続されている複数台の室内機とを備えるマルチ型空気調和装置の制御方法であって、所定期間通常モードによって前記室内機に設定された設定温度まで前記圧縮機を制御する第１立ち上がりモードと、前記通常モードに対して前記圧縮機の制御量に上限が与えられる省エネモードによって前記室内機に設定された設定温度まで前記圧縮機を制御する第２立ち上がりモードとのうちいずれか一方をユーザにより選択させる選択過程と、前記圧縮機が起動された後、前記第１立ち上がりモード及び前記第２立ち上がりモードのうち前記選択過程によって選択されたいずれか一方によって前記圧縮機を制御する制御過程とを有するマルチ型空気調和装置の制御方法を提供する。
【手続補正５】
【補正対象書類名】明細書
【補正対象項目名】００１３
【補正方法】変更
【補正の内容】
【００１３】
本発明は、圧縮機を有する室外機と、前記室外機に並列に接続されている複数台の室内機とを備えるマルチ型空気調和装置の制御プログラムであって、所定期間通常モードによって前記室内機に設定された設定温度まで前記圧縮機を制御する第１立ち上がりモードと、前記通常モードに対して前記圧縮機の制御量に上限が与えられる省エネモードによって前記室内機に設定された設定温度まで前記圧縮機を制御する第２立ち上がりモードとを有し、前記第１立ち上がりモード及び前記第２立ち上がりモードのうちいずれか一方をユーザにより選択させる選択処理と、前記圧縮機が起動された後、前記第１立ち上がりモード及び前記第２立ち上がりモードのうち前記選択処理によって選択されたいずれか一方によって前記圧縮機を制御する制御処理とをコンピュータに実行させるためのマルチ型空気調和装置の制御プログラムを提供する。
【手続補正６】
【補正対象書類名】明細書
【補正対象項目名】００１４
【補正方法】変更
【補正の内容】
【００１４】
本発明は、圧縮機を有する室外機と、前記室外機に並列に接続されている複数台の室内機とを備えるマルチ型空気調和装置の制御方法であって、所定期間通常モードによって前記室内機に設定された設定温度まで前記圧縮機を制御する第１立ち上がりモードと、前記通常モードに対して前記圧縮機の制御量に上限が与えられる省エネモードによって前記室内機に設定された設定温度まで前記圧縮機を制御する第２立ち上がりモードとのいずれか一方をユーザにより選択させる選択過程と、前記圧縮機が起動され、前記室内機がサーモオン状態となった後、前記第１立ち上がりモード及び前記第２立ち上がりモードのうち前記選択過程によって選択されたいずれか一方によって前記圧縮機を制御する制御過程とを有するマルチ型空気調和装置の制御方法を提供する。
【手続補正７】
【補正対象書類名】明細書
【補正対象項目名】００１５
【補正方法】変更
【補正の内容】
【００１５】
本発明は、圧縮機を有する室外機と、前記室外機に並列に接続されている複数台の室内機とを備えるマルチ型空気調和装置の制御プログラムであって、所定期間通常モードによって前記室内機に設定された設定温度まで前記圧縮機を制御する第１立ち上がりモードと、前記通常モードに対して前記圧縮機の制御量に上限が与えられる省エネモードによって前記室内機に設定された設定温度まで前記圧縮機を制御する第２立ち上がりモードとを有し、前記第１立ち上がりモード及び前記第２立ち上がりモードのいずれか一方をユーザにより選択させる選択処理と、前記圧縮機が起動され、前記室内機がサーモオン状態となった後、前記第１立ち上がりモード及び前記第２立ち上がりモードのうち前記選択処理によって選択されたいずれか一方によって前記圧縮機を制御する制御処理とをコンピュータに実行させるためのマルチ型空気調和装置の制御プログラムを提供する。